【事件の表示】
　特願２０１５−１４８００６号「遊技機」拒絶査定不服審判事件〔平成２７年１０月２９日出願公開、特開２０１５−１８６６７３号〕について、次のとおり審決する。
【結　論】
　本件審判の請求は、成り立たない。
【理　由】
第１　手続の経緯 
　本願は、平成２４年２月２４日に出願した特願２０１２−３９１６５号の一部を平成２７年７月２７日に新たな特許出願としたものであって、平成２８年７月５日付けの拒絶理由の通知に対し、同年９月１２日に意見書が提出されるとともに手続補正がなされたが、平成２９年３月１５日付け（発送日：同年３月２１日）で拒絶査定がなされ、これに対して同年６月２１日に審判の請求がなされると同時に手続補正（以下「本件補正」という。）がなされ、平成２９年１２月２７日に上申書が提出されたたものである。  
第２　本件補正についての補正の却下の決定 
［補正の却下の決定の結論］ 
　本件補正を却下する。 
［理由］ 
１　本件補正について（補正の内容） 
　本件補正は特許請求の範囲の請求項１の記載の補正を含むものであり、本件補正前の平成２８年９月１２日にされた手続補正の特許請求の範囲の請求項１の記載と本件補正後の特許請求の範囲の請求項１の記載は、それぞれ以下のとおりである（下線部は補正箇所を示す。また、Ａ〜Ｌについては発明を分説するため当審で付与した。）。 
（本件補正前） 
「【請求項１】 
　遊技制御に関する情報が記憶され、その記憶内容が初期化情報の入力によって初期化される遊技機において、
　遊技球が入賞可能な入賞手段と、
　前記入賞手段に入賞した遊技球を検知する入賞検知手段と、
　前記入賞検知手段によって遊技球の入賞が検知されたことを契機に、遊技球の入賞に対応して予め定められた賞球数の遊技球の払出制御を行わせる払出制御情報を出力する第１制御手段と、
　遊技球の払出動作を行う払出手段と、
　前記第１制御手段によって出力された払出制御情報に基づいて、前記払出手段に払出動作を行わせる払出制御を行う第２制御手段と、を備え、
　前記第１制御手段は、前記入賞検知手段によって遊技球の入賞が検知されたことを契機に、該遊技球の入賞に伴う賞球数に基づいて、前記払出手段による払出動作が行われる予定である払出予定球数を計数し、
　前記払出予定球数の計数結果は前記初期化情報が入力された場合に初期化される情報であり、
　前記遊技機は前記払出手段による払出動作が行われたことを契機に、遊技球の払出球数を計数する払出球数計数手段を備えているとともに、前記遊技機は外部装置を接続することができる外部接続手段を備えており、
　前記外部接続手段に入力される情報には、
　前記払出予定球数に基づいて前記払出手段に払出動作を行わせる予定を示す払出予定情報と、前記初期化情報が入力されたことを契機に出力されるセキュリティ関連情報と、支持枠に開閉可能に支持されているとともに遊技盤を視認可能とする窓口が形成されている前枠が開放されたことを示す開放情報と、を含むことを特徴とする遊技機。」 
（本件補正後）  
「【請求項１】 
Ａ　遊技制御に関する情報が記憶され、その記憶内容が初期化情報の入力によって初期化される遊技機において、
Ｂ　遊技球が入賞可能な入賞手段と、
Ｃ　前記入賞手段に入賞した遊技球を検知する入賞検知手段と、
Ｄ　前記入賞検知手段によって遊技球の入賞が検知されたことを契機に、遊技球の入賞に対応して予め定められた賞球数の遊技球の払出制御を行わせる払出制御情報を出力する第１制御手段と、
Ｅ　遊技球の払出動作を行う払出手段と、
Ｆ　前記第１制御手段によって出力された払出制御情報に基づいて、前記払出手段に払出動作を行わせる払出制御を行う第２制御手段と、を備え、
Ｇ　前記第１制御手段は、前記入賞検知手段によって遊技球の入賞が検知されたことを契機に、該遊技球の入賞に伴う賞球数に基づいて、前記払出手段による払出動作が行われる予定である払出予定球数を計数し、
Ｈ　前記払出予定球数の計数結果は前記初期化情報が入力された場合に初期化される情報であり、
Ｉ　前記遊技機は前記払出手段による払出動作が行われたことを契機に、遊技球の払出球数を計数する払出球数計数手段を備えているとともに、前記遊技機は外部装置を接続することができる外部接続手段を備えており、
Ｊ　前記外部接続手段
から出力される
　　前記払出予定球数に基づいて前記払出手段に払出動作を行わせる予定を示す払出予定情報と、前記初期化情報が入力されたことを契機に出力されるセキュリティ関連情報と、支持枠に開閉可能に支持されているとともに遊技盤を視認可能とする窓口が形成されている前枠が開放されたことを示す開放情報と、を含
み、
Ｋ　前記払出予定情報は、計数された払出予定球数が所定数に達する毎に所定の間隔をあけて前記外部接続手段から出力され、
Ｌ　前記所定数に達したときには計数された払出予定球数から前記所定数が減算され、減算後の払出予定球数は保持され、その後に発生した賞球数が前記減算後の払出予定球数に加算される
２　補正の適否　　 
　本件補正は、補正前の請求項１に記載された発明特定事項である「払出予定情報」に関して、「前記払出予定情報は、計数された払出予定球数が所定数に達する毎に所定の間隔をあけて前記外部接続手段から出力され、前記所定数に達したときには計数された払出予定球数から前記所定数が減算され、減算後の払出予定球数は保持され、その後に発生した賞球数が前記減算後の払出予定球数に加算される」という限定を付加するものである。
　なお、補正前の請求項１に記載された発明特定事項である「前記外部接続手段に入力される情報には」を「前記外部接続手段から出力される情報には」と変更する補正は、上記限定付加に係る補正の「前記外部接続手段から出力され」という記載と整合をとるためになされたものであり、外部接続手段によって情報が変更されることはなく入力される情報と出力される情報は同一であるという技術常識に鑑みれば、この補正は実質的には発明特定事項を何ら変更するものではない。
　また、補正前の請求項１に記載された発明と補正後の請求項１に記載された発明とは、産業上の利用分野及び解決しようとする課題が同一である。
　そうすると、本件補正は、特許法第１７条の２第５項第２号に規定する「特許請求の範囲の減縮」を目的とするものに該当する。
　そして、本件補正は、明細書の段落【０１０１】〜【０１０６】、【０１５０】〜【０１５６】、及び図１０、図１６などの記載に基づいており、新規事項を追加するものではない。 
　そこで、本件補正後の請求項１に記載された発明（以下「本願補正発明」という。）が特許法第１７条の２第６項において準用する同法第１２６条第７項の規定に適合するか（特許出願の際独立して特許を受けることができるものであるか）について、以下、検討する。 
（１）本願補正発明 
　本願補正発明は、前記１（本件補正後）に記載したとおりのものである。
（２）引用文献に記載された事項 
　原査定の拒絶の理由で引用された本願の出願遡及日前に頒布された刊行物である特開２０１０−２５３３１６号公報（以下「引用文献１」という。）には、図面と共に次の事項が記載されている（下線は当審で付した。）。 
「【０００１】
　本発明は
弾球遊技機
逐次変化する遊技状態等を記憶するＲＡＭのクリア
「【００１４】
　
前面枠１１２
には
金枠１１３が取り付けられ
金枠１１３の左側を支軸にして
ガラス枠１１４が開閉可能に蝶着される
奥には
遊技盤が収納され
「【００２１】
　遊技盤２１の盤面上に発射された
遊技球は
各入賞口３１等に入賞
「【００２３】
　図３によりパチンコ遊技機の裏側の構成について説明する。上述の遊技盤２１には、その裏面に沿って機構盤５１が脱着可能に設けてある。機構盤５１には、上部に球タンク５２が設けられ、遊技球がタンクレール５３、カーブレール５４を介して貸球払い出し装置５５と賞球払い出し装置５６とにそれぞれ供給可能となっている。貸球払い出し装置５５は内蔵の貸球ソレノイド８５が作動すると、
賞球払い出し装置５６は内蔵の賞球モータ９３が作動すると、遊技球の下流への流下が許容され、上皿１２１へと供給する
【００２４】
　また、遊技盤２１や機構盤５１には、遊技の進行全体を司る主制御基板６１が、また、主制御基板６１との一方向通信により本パチンコ遊技機各部を作動せしめる種々のサブ制御基板６２、６３、６４２、６５、６６が取り付けられる。サブ制御基板６２〜６６には、貸球や賞球の払い出しを制御するもの（以下、適宜、払出制御基板という）６２、遊技球の発射を制御するもの（以下、適宜、発射制御基板という）６３、ＬＣＤパネルユニット６４１における表示を制御するもの（以下、適宜、図柄制御基板という）６４２、種々の表示用、演出用のランプの発光を制御するもの（以下、適宜、ランプ制御基板という）６５、スピーカの出力音を制御するもの（以下、適宜、音制御基板という）６６がある。かかる制御用の基板６１〜６６の他、本パチンコ遊技機の各部に給電するための電源基板６７が設けられている。図柄制御基板６４２は上記ＬＣＤパネルユニット６４１や図示しない付属ユニットとともにアッセンブリ化され特別図柄表示装置６４となっている。また、第１の外部接続端子基板６８と第２の外部接続端子基板６８ａとが設けられており、
第１外部接続端子基板６８と第２外部接続端子基板６８ａとは
パチンコ店管理コンピュータに接続され
【００２５】
　
第１外部接続端子基板６８は遊技状況
大当たり、特別図柄表示装置６４の図柄変動および入賞状況
第２外部接続端子基板６８ａは遊技状況を除く当該パチンコ遊技機の動作状況
ガラス枠１１４の開放、満杯検出、払出個数、遊技客がタッチプレート１４３を回動していた時間等
外部接続端子基板６８，６８ａから出力される情報
「【００３１】
　
第１種始動口スイッチ７１１は普通電動役物３１内に
設けられ
カウントスイッチ７１４
大入賞口３２内に設けられ、その他入賞口スイッチ７１５は普通電動役物３１および大入賞口３２以外の各入賞口３５、３６に設けられ
遊技球が通過したことを検知する
「【００３３】
　また、賞球センサ９４，９５は賞球払出装置５５内に設けられ、払い出される賞球を１つずつ検出する。
主制御基板６１
は入賞の種類に対応した規定の賞球個数を初期値とする未払い数を、賞球センサ９４、９５により遊技球が検出されるごとに減算更新し、未払いの賞球個数を監視する
「【００３５】
　
払出制御基板６２は
主制御基板６１からの指令コマンドに従って入賞があった場合に賞球の払い出しの制御を行う
「【００３９】
　払出制御基板６２はまた、遊技盤２１の上記各入賞口３１等に遊技球が入賞すれば、上記賞球モータ９３を作動せしめて遊技球を払い出すとともに、
入賞口に対応した所定の賞球数
遊技球が上記所定の賞球数だけ
払い出される
「【００５１】
　ＲＡＭクリアスイッチ６７６には押下時のみオンするノンロック方式の押し釦スイッチが用いられ、上記リセット信号の解除時にＲＡＭクリアスイッチ６７６がオンであれば、ＲＡＭクリア信号発生回路６７７が、ハイレベルの信号である
ＲＡＭクリア信号を
入力ポート６１３、６２３に
出力する
【００５２】
　また、電源基板６７には設定手段であるＤＩＰスイッチ回路６７８が設けてあり、その各スイッチは非接地側の接点がＤＣ５Ｖでプルアップされ、このＤＣ５Ｖと０Ｖの二値信号が、スイッチの出力信号として主制御基板６１、払出制御基板６２の各入力ポート６１３，６２３に入力している。ＤＩＰスイッチ回路６７８の各スイッチは、後述するようにクリアするＲＡＭの範囲を設定するもので、５種類の
クリアするＲＡＭ
第１のスイッチは主制御基板ＣＰＵ６１１のＲＡＭ
の全領域のクリア
第２のスイッチは主制御基板ＣＰＵ６１１のＲＡＭの全領域のクリア
第５のスイッチは主制御基板ＣＰＵ６１１のＲＡＭのうち払い出すべき賞球の個数が格納された領域
のクリア
　上記記載事項を総合すれば、引用文献１には以下の発明（以下、「引用発明」という。）が記載されているものと認められる（ａ〜ｊについては本願補正発明のＡ〜Ｊに対応させて付与した。）。
 
「ａ　逐次変化する遊技状態等を記憶するＲＡＭをＲＡＭクリア信号の入力によってクリアする弾球遊技機において（【０００１】、【００５１】、【００５２】）、」
ｂ　遊技球が入賞する各入賞口３１等と（【００２１】）、
ｃ　遊技球が通過したことを検知する、普通電動役物３１内に設けられる第１種始動口スイッチ７１１、大入賞口３２内に設けられるカウントスイッチ７１４、普通電動役物３１および大入賞口３２以外の各入賞口３５、３６に設けられるその他入賞口スイッチ７１５と（【００３１】）、
ｄ　遊技球の入賞があった場合に入賞口に対応した所定の賞球数の払い出しの制御を行うための指令コマンドを出力する主制御基板６１と（【００３５】、【００３９】）、
ｅ　内蔵の賞球モータ９３が作動すると、遊技球の下流への流下が許容され、上皿１２１へと供給する賞球払い出し装置５６と（【００２３】）、
ｆ　主制御基板６１からの指令コマンドに従って入賞があった場合に賞球の払い出しの制御を行う払出制御基板６２と（【００３５】）、を備え、
ｇ　主制御基板６１は入賞の種類に対応した規定の賞球個数を初期値とする未払い数を、賞球センサ９４、９５により遊技球が検出されるごとに減算更新し、未払いの賞球個数を監視し（【００３３】）、
ｈ　主制御基板ＣＰＵ６１１のＲＡＭのうち払い出すべき賞球の個数が格納された領域は第１、第２、第５のスイッチが入力された場合にクリアされるものであり（【００５２】）、
ｉ　前記弾球遊技機は、パチンコ店管理コンピュータに接続される第１外部接続端子基板６８と第２外部接続端子基板６８ａを備えており（【００２４】）、
ｊ　前記第１外部接続端子基板６８から出力される情報は遊技状況であり、大当たり、特別図柄表示装置６４の図柄変動および入賞状況があり、前記第２外部接続端子基板６８ａから出力される情報は遊技状況を除く当該パチンコ遊技機の動作状況であって、前面枠１１２に取り付けられた金枠１１３の左側を支軸にして開閉可能に蝶着されるとともに奥に遊技盤が収納されるガラス枠１１４の開放、満杯検出、払出個数、遊技客がタッチプレート１４３を回動していた時間等である（【００１４】、【００２５】）
　　弾球遊技機。」
（３）対比 
　本願補正発明と引用発明とを対比する。なお、見出し（ａ）〜（ｊ）は、本願補正発明のＡ〜Ｊに対応させている。
 
（ａ）引用発明の「ａ　逐次変化する遊技状態等を記憶するＲＡＭをＲＡＭクリア信号の入力によってクリアする弾球遊技機」は、本願補正発明の「Ａ　遊技制御に関する情報が記憶され、その記憶内容が初期化情報の入力によって初期化される遊技機」に相当する。
（ｂ）引用発明の「ｂ　遊技球が入賞する各入賞口３１等」は、本願補正発明の「Ｂ　遊技球が入賞可能な入賞手段」に相当する。
（ｃ）引用発明の「ｃ　遊技球が通過したことを検知する、普通電動役物３１内に設けられる第１種始動口スイッチ７１１、大入賞口３２内に設けられるカウントスイッチ７１４、普通電動役物３１および大入賞口３２以外の各入賞口３５、３６に設けられるその他入賞口スイッチ７１５」は、本願補正発明の「Ｃ　前記入賞手段に入賞した遊技球を検知する入賞検知手段」に相当するものを備えるといえる。
（ｄ）普通電動役物内に設けられる第１種始動口スイッチ、大入賞口内に設けられるカウントスイッチ、普通電動役物および大入賞口以外の各入賞口に設けられるその他入賞口スイッチによって遊技球の入賞が検知されたことを契機に、遊技球の入賞に対応して予め定められた賞球数の遊技球の払出制御を行わせることは技術常識であるから、引用発明の「ｄ　遊技球の入賞があった場合」とは、引用発明のｃの「普通電動役物３１内に設けられる第１種始動口スイッチ７１１、大入賞口３２内に設けられるカウントスイッチ７１４、普通電動役物３１および大入賞口３２以外の各入賞口３５、３６に設けられるその他入賞口スイッチ７１５」によって「遊技球が通過したことを検知」した場合であることは明らかである。
　したがって、引用発明の「ｄ　遊技球の入賞があった場合に入賞口に対応した所定の賞球数だけ遊技球の払い出しの制御を行うための指令コマンドを出力する主制御基板６１」は、本願補正発明の「Ｄ　前記入賞検知手段によって遊技球の入賞が検知されたことを契機に、遊技球の入賞に対応して予め定められた賞球数の遊技球の払出制御を行わせる払出制御情報を出力する第１制御手段」に相当する。
（ｅ）引用発明の「ｅ　内蔵の賞球モータ９３が作動すると、遊技球の下流への流下が許容され、上皿１２１へと供給する賞球払い出し装置５６」は、本願補正発明の「Ｅ　遊技球の払出動作を行う払出手段」に相当する。
（ｆ）引用発明において、「ｆ　主制御基板６１からの指令コマンドに従って入賞があった場合に」「払出制御基板６２」によって「制御」されて「賞球の払い出し」を行うのは、ｅの「賞球払い出し装置５６」であることは明らかである。
　したがって、引用発明の「ｆ　主制御基板６１からの指令コマンドに従って入賞があった場合に賞球の払い出しの制御を行う払出制御基板６２」は、本願補正発明の「Ｆ　前記第１制御手段によって出力された払出制御情報に基づいて、前記払出手段に払出動作を行わせる払出制御を行う第２制御手段」に相当する。
（ｇ）引用発明において、「ｇ　主制御基板６１は入賞の種類に対応した規定の賞球個数を初期値と」して「未払いの賞球個数を監視」することは、ｅの「賞球払い出し装置５６」によって「下流への流下が許容され、上皿１２１へと供給」される予定の「遊技球」の数を計数しているといえる。
　したがって、引用発明の「ｇ　主制御基板６１は入賞の種類に対応した規定の賞球個数を初期値と」して「未払いの賞球個数を監視」することは、本願補正発明の「Ｇ　前記第１制御手段は、前記入賞検知手段によって遊技球の入賞が検知されたことを契機に、該遊技球の入賞に伴う賞球数に基づいて、前記払出手段による払出動作が行われる予定である払出予定球数を計数」することに相当する。
（ｈ）未払いの賞球個数がＣＰＵの制御プログラムの作業領域としてのＲＡＭに格納されることは、例えば、引用文献１に
「【０００３】今日の弾球遊技機は…
【０００４】…遊技球の払い出しは、センサが通過した遊技球を１つずつ検出し、遊技球の未払い数を減算更新しながら、遊技球の払い出しが決められた数だけなされるようになっている。【０００５】このため、上記ＣＰＵの制御プログラムの作業領域としてのＲＡＭには遊技状態や未払いの賞球個数等、種々のデータが格納されている。」
と記載されているように周知技術である。
　そして、この周知技術に鑑みれば、引用発明において、「ｇ　主制御基板６１は入賞の種類に対応した規定の賞球個数を初期値と」して「監視」される「未払いの賞球個数」が、「ｈ　主制御基板ＣＰＵ６１１のＲＡＭ」に「払い出すべき賞球の個数」として「格納」されることは明らかである。
　したがって、引用発明の「ｈ　主制御基板ＣＰＵ６１１のＲＡＭのうち払い出すべき賞球の個数が格納された領域は第１、第２、第５のスイッチが入力された場合にクリアされる」ことは、本願補正発明の「Ｈ　前記払出予定球数の計数結果は前記初期化情報が入力された場合に初期化される情報であ」ることに相当する。
（ｉ）引用発明は、「ｇ　主制御基板６１は入賞の種類に対応した規定の賞球個数を初期値とする未払い数を、賞球センサ９４、９５により遊技球が検出されるごとに減算更新」するものであり、「賞球払い出し装置５６」による「下流への流下が許容され、上皿１２１へと供給する」「遊技球」の払出球数を計数する払出計数手段に相当するものを備えることは明らかであるから、引用発明は、本願補正発明のＩの「前記払出手段による払出動作が行われたことを契機に、遊技球の払出球数を計数する払出球数計数手段」に相当するものを備えるといえる。
　また、引用発明のｉの「パチンコ店管理コンピュータに接続される第１外部接続端子基板６８と第２外部接続端子基板６８ａ」は、本願補正発明の「外部装置を接続することができる外部接続手段」に相当する。
（ｊ）引用発明のｊの「前面枠１１２に取り付けられた金枠１１３の左側を支軸にして開閉可能に蝶着されるとともに奥に遊技盤が収納されるガラス枠１１４の開放」を示す「情報」は、本願補正発明の「支持枠に開閉可能に支持されているとともに遊技盤を視認可能とする窓口が形成されている前枠が開放されたことを示す開放情報」に相当する。
　したがって、引用発明の「ｊ　前記第１外部接続端子基板６８から出力される情報は遊技状況であり」、「前記第２外部接続端子基板６８ａから出力される情報は遊技状況を除く当該パチンコ遊技機の動作状況であって、奥に遊技盤が収納されるガラス枠１１４の開放」「等である」ことと、本願補正発明の「Ｊ　前記外部接続手段から出力される情報には、前記払出予定球数に基づいて前記払出手段に払出動作を行わせる予定を示す払出予定情報と、前記初期化情報が入力されたことを契機に出力されるセキュリティ関連情報と、支持枠に開閉可能に支持されているとともに遊技盤を視認可能とする窓口が形成されている前枠が開放されたことを示す開放情報と、を含」むこととは、「Ｊ’前記外部接続手段から出力される情報には、支持枠に開閉可能に支持されているとともに遊技盤を視認可能とする窓口が形成されている前枠が開放されたことを示す開放情報」を「含」む点で共通する。
　そうすると、両者は、 
「Ａ　遊技制御に関する情報が記憶され、その記憶内容が初期化情報の入力によって初期化される遊技機において、
Ｂ　遊技球が入賞可能な入賞手段と、
Ｃ　前記入賞手段に入賞した遊技球を検知する入賞検知手段と、
Ｄ　前記入賞検知手段によって遊技球の入賞が検知されたことを契機に、遊技球の入賞に対応して予め定められた賞球数の遊技球の払出制御を行わせる払出制御情報を出力する第１制御手段と、
Ｅ　遊技球の払出動作を行う払出手段と、
Ｆ　前記第１制御手段によって出力された払出制御情報に基づいて、前記払出手段に払出動作を行わせる払出制御を行う第２制御手段と、を備え、
Ｇ　前記第１制御手段は、前記入賞検知手段によって遊技球の入賞が検知されたことを契機に、該遊技球の入賞に伴う賞球数に基づいて、前記払出手段による払出動作が行われる予定である払出予定球数を計数し、
Ｈ　前記払出予定球数の計数結果は前記初期化情報が入力された場合に初期化される情報であり、
Ｉ　前記遊技機は前記払出手段による払出動作が行われたことを契機に、遊技球の払出球数を計数する払出球数計数手段を備えているとともに、前記遊技機は外部装置を接続することができる外部接続手段を備えており、
Ｊ’前記外部接続手段から出力される情報には、
　　支持枠に開閉可能に支持されているとともに遊技盤を視認可能とする窓口が形成されている前枠が開放されたことを示す開放情報を含む遊技機。」 
である点で一致し、以下の相違点で相違する。
（相違点１）
「Ｊ’前記外部接続手段から出力される情報」について、「支持枠に開閉可能に支持されているとともに遊技盤を視認可能とする窓口が形成されている前枠が開放されたことを示す開放情報」だけでなく、本願補正発明は「前記払出予定球数に基づいて前記払出手段に払出動作を行わせる予定を示す払出予定情報と、前記初期化情報が入力されたことを契機に出力されるセキュリティ関連情報と」をも含むのに対し、引用発明は、第１外部接続端子基板６８から出力される情報に入賞状況があるが、未払いの賞球個数の情報は特定されておらず、また、ＲＡＭクリア信号が入力されたことを契機に出力されるセキュリティ関連情報は特定されていない点。
（相違点２）
　本願補正発明は「Ｋ　前記払出予定情報は、計数された払出予定球数が所定数に達する毎に所定の間隔をあけて前記外部接続手段から出力され、Ｌ　前記所定数に達したときには計数された払出予定球数から前記所定数が減算され、減算後の払出予定球数は保持され、その後に発生した賞球数が前記減算後の払出予定球数に加算される」ものであるのに対し、引用発明はそのように特定されていない点。
（４）判断
　以下、相違点について検討する。
（相違点１について）
　遊技機において、外部接続手段から出力される情報について、払出予定球数に基づいて払出手段に払出動作を行わせる予定を示す払出予定情報を含ませること、及び、初期化情報が入力されたことを契機に出力されるセキュリティ関連情報を含ませることは、いずれも、例えば、
ア　原査定の拒絶の理由で引用された本願の出願遡及日前に頒布された刊行物である特開２０１１−２１２４８４号公報（以下「引用文献２」という。下線は当審で付した。）
「【０００１】
　本発明は、遊技球を用いて所定の遊技を行うことが可能な
遊技機
「【０７７６】
　また、上記に示した実施の形態において、主基板３１側で
リセット信号が入力され初期化処理が実行されてバックアップＲＡＭがクリアされたとき
情報端子盤３４を介して、初期化が行われたことを示す信号を外部出力する
イ　原査定で周知技術として引用された本願の出願遡及日前に頒布された刊行物である特開２０１１−１２５４８７号公報（以下「引用文献３」という。下線は当審で付した。）
「【０００１】
　本発明は、賞球払出の決定を行う主制御手段と、遊技球を遊技者に対して払い出す払出手段と、遊技球払出の有無を検知する払出検知手段とを備えた、遊技媒体が遊技球である
弾球遊技機
「【００２５】
（外部中継端子板）
　次に、図２を参照しながら、本最良形態に係る外部中継端子板５０００を説明することとする。外部中継端子板５０００には、各種ケーブルコネクタが接続される出力端子部としての複数の外部接続端子｛例えば、賞球払出に関する情報、入賞や図柄停止に関する情報、現在の遊技状態（通常遊技状態、特定遊技状態、特別遊技状態等）に関する情報を出力するための遊技状態情報出力用の端子、扉が開放している際に開放検知センサ等によって検出される各種エラー情報を出力するためのエラー情報出力用の端子等｝が設けられている。具体的に説明すると、図２の上部に示すように、
外部中継端子板５０００には、出力端子部５０００ａ
が設けられている
出力端子部５０００ａは
出力される賞球払出予定個数信号（所定球数払い出されることが予定されている旨の信号）の出力用の端子である
ウ　前置報告書で引用された本願の出願遡及日前に頒布された刊行物である特開２００８−２６４２８０号公報（以下「引用文献４」という。下線は当審で付した。）
「【００８８】
　
外部中継端子板２３０は
技ホールのホールコンピュータＨＣなどへの各種情報送信を中継するためのものであり、各種ケーブルコネクタが接続される出力端子部としての複数の外部接続端子が設けられている
主制御装置２６１から出力される後述の賞球予定個数信号の出力用の端子２３０ａ
エ　本願の出願遡及日前に頒布された刊行物である特開２０１２−１６４０８号公報（以下「引用文献５」という。下線は当審で付した。）
「【０１０６】
　なお、
コネクタＣＮ７から出力される入賞信号は、所定数分（この実施の形態では、１０個分）の賞球を払い出すための所定の払出条件が成立したこと（第１始動入賞口１３、第２始動入賞口１４、大入賞口、普通入賞口２９，３０への入賞が発生したこと。賞球の払出までは行われていない。）を示す信号である
払い出される賞球数の予定数を、ホールコンピュータなどの外部装置側で認識できる
「【０１０９】
　また、この実施の形態では、
遊技機への電源投入が行われて初期化処理が実行された場合にも、セキュリティ信号が
ホールコンピュータなどの外部装置に出力される
に記載されているように周知技術（以下「周知技術１」という。）である。
　そして、引用発明においても、例えば、不正行為が行われた可能性等をパチンコ店管理コンピュータ側で認識できるように、上記周知技術を適用して、外部接続手段から出力される情報について、払出予定球数に基づいて払出手段に払出動作を行わせる予定を示す払出予定情報を含ませるとともに、初期化情報が入力されたことを契機に出力されるセキュリティ関連情報を含ませるようにして、相違点１に係る本願補正発明の構成とすることは当業者が容易になし得るものである。
（相違点２について）
　計数された払出予定球数が所定数に達する毎に所定の間隔をあけて外部接続手段から出力され、前記所定数に達したときには計数された払出予定球数から前記所定数が減算され、減算後の払出予定球数は保持され、その後に発生した賞球数が前記減算後の払出予定球数に加算されることは、例えば、
ア　引用文献３（下線は当審で付した。）
「【００２５】
（外部中継端子板）
　・・・尚、これら賞球情報に関しては、
所定数（本例では１０球）の払出予定があった場合
所定のパルス（約０．１０４秒の間オン状態）が出力される
「【００３９】
　次に、ＨＣ側送信制御手段１１１４は、
入賞口センサＳから入球信号を受信した場合、当該入賞口に対応した賞球分、後述する予定払出個数関連カウンタ１１１４ｃのカウンタ値を累積加算する
予定払出個数関連カウンタ１１１４ｃのカウンタ値が所定値（例えば１０）に到達した場合
予定払出個数関連カウンタ１１１４ｃのカウンタ値から所定値（例えば１０）減算する
予定払出個数関連カウンタ１１１４ｃのカウンタ値が所定値に到達した場合
情報
賞球払出予定個数
所定個数（例えば１０個）分に相当するパルス信号
「【０１０５】
　更に、予定払出数が所定数に達した時点で当該所定数を一単位としてその都度外部に出力するように構成されているので、毎回異なる賞球数情報を送信する場合と比較し、当該情報を受信し管理する側のホールコンピュータの負担を軽減することが可能になるという効果を奏する。
【０１０６】
　更に、所定数に対応した予定賞球払出情報が外部に出力された場合、予定賞球払出数一時記憶手段に一時記憶された予定賞球払出数に係る値から当該所定数減算するように構成されているので、予定賞球払出数一時記憶手段の容量増加を防止することが可能になるという効果を奏する。」
イ　引用文献４（下線は当審で付した。）
「【０１５６】
　図１４に示すように、ステップＳ７０１において、信号オン回数カウンタの値が０であるか否かを判別する。信号オン回数カウンタとは、賞球予定個数１球分に相当するパルス信号（以下、賞球予定個数信号という）の出力回数を計数するためのカウンタである。但し、本実施形態の賞球予定個数信号は、連続する１０ｍｓのオン信号（パルス信号）と１０ｍｓのオフ信号が一組で賞球予定個数１球分を表している。この信号オン回数カウンタには、後述するように賞球バッファの各アドレスから賞球予定個数が読み出される毎に、当該賞球予定個数がカウンタ値として設定される。つまり、遊技球の一入賞単位でカウンタ値の設定がその都度行われる。また、本実施形態では、後述するように
遊技球の一入賞に対応した賞球予定個数信号群と、他の入賞に対応した賞球予定個数信号群との間には所定のイーターバルとして１００ｍｓの間隔があくように設定される
第１契機対応ユニット３３へ遊技球が入賞した後、他の入賞部に遊技球が入賞した場合には、図３３に示すように、上記一組のオンオフ信号が連続して３回出力された後、１００ｍｓの間隔をあけて次の賞球予定個数信号群が出力される
「【０３０８】
　ここで、外部情報処理について図２７のフローチャートを参照して説明する。図２７に示すように、ステップＳ３５０１において、信号制御タイマの残り時間が０であるか否かを判別する。信号制御タイマとは、
賞球完了個数１０球分に相当するパルス信号
１０ｍｓのオン信号（パルス信号）により賞球完了個数１０球分を表している
所定の賞球完了個数信号と、他の賞球完了個数信号との間には所定のイーターバルとして１００ｍｓの間隔があくように設定される
「【０３１１】
　一方、
カウンタ値が１０以上である場合には、新たな賞球完了個数信号の出力開始時とみなし
払出計数カウンタの値から１０減算し
「【０３６６】
 （ｅ）
賞球予定個数信号
は上記実施形態に限定されるものではない
賞球予定個数１０球分に相当するパルス信号を賞球予定個数信号として出力してもよし（当審注：「よし」は「よいし」の誤記と認められる。）
ウ　引用文献５（下線は当審で付した。）
「【０２４７】
　次いで、ＣＰＵ５６は、
いずれかの入賞口（始動入賞口１３，１４、大入賞口、普通入賞口２９，３０）への入賞を検出したことにもとづく賞球予定数の累積値をカウントする
賞球個数データで示される賞球個数に加算する
新たに発生した入賞分の賞球個数を加算した賞球予定数の累積値が求められる
「【０２４９】
　次いで、ＣＰＵ５６は、ステップＳ５１１８で演算した賞球予定数の累積値が所定の入賞出力判定値（本例では、１０）以上となっているか否かを確認する（ステップＳ５１２０）。
賞球予定数の累積値が所定の入賞出力判定値（本例では、１０）以上となっていれば
賞球予定数の累積値から所定の入賞出力判定値に相当する値（本例では、１０）を減算する
入賞情報記憶カウンタの値を１加算する
「【０２５１】
　ステップＳ５１２０〜Ｓ５１２４の処理が実行されることによって、この実施の形態では、
所定数分の払出条件が成立するごとに（賞球１０個分の入賞が発生するごとに）、入賞情報記憶カウンタの値が１ずつ加算され
情報出力処理によって入賞信号が外部出力される
に記載されているように周知技術（以下「周知技術２」という。）である。
　なお、引用文献３においては、所定のパルス（約０．１０４秒の間オン状態）が出力されるのであるから、次に出力されるパルス（約０．１０４秒の間オン状態）と区別できるように、両者の間に所定の間隔をあけることは自明の設計的事項にすぎない。
　そして、引用発明に周知技術１を適用した際、例えば、毎回異なる賞球数情報を送信する場合と比較し、当該情報を受信し管理する側のパチンコ店管理コンピュータの負担を軽減しつつ、未払いの賞球個数の一時記憶手段の容量増加を防止することが可能になるように、周知技術２を適用して、相違点２に係る本願補正発明の構成とすることは当業者が容易になし得るものである。
（効果について）
　そして、これらの相違点を総合的に勘案しても、本願補正発明の奏する作用効果は、引用発明及び周知技術の奏する作用効果から予測される範囲内のものにすぎず、格別顕著なものということはできない。
（まとめ）
　したがって、本願補正発明は、引用発明及周知技術に基づいて、当業者が容易に発明をすることができたものであり、特許法第２９条第２項の規定により、特許出願の際独立して特許を受けることができないものである。
（請求人の主張について）
　請求人は、審判請求書において、引用文献１の遊技機は本願補正発明のように払出される予定のある遊技球の個数を計数し、その計数された個数が所定数に達したことを契機に払出予定情報として外部に出力させる構成を備えるものではない旨主張する。
　しかしながら、上記（相違点２について）において記載したように、遊技機において、払出される予定のある遊技球の個数を計数し、その計数された個数が所定数に達したことを契機に払出予定情報として外部に出力させる構成を備えることは周知技術であり、その適用は当業者が容易になし得るものである。
　また、請求人は、審判請求書において、拒絶査定時に新たに提示された引用文献３には、払出予定があった場合に外部に信号を出力されることが記載されているが、引用文献３には、本願補正発明の払出予定球数を計数する構成や払出予定情報を出力する構成、すなわち本件補正において限定した構成について何ら開示及び示唆されておらず、また、引用文献２にも、引用文献３と同様に、本願補正発明の払出予定球数を計数する構成や払出予定情報を出力する構成について何ら開示及び示唆されていない旨主張する。 
　しかしながら、上記（相違点２について）において記載したように、遊技機において、払出予定球数を計数する構成や払出予定情報を出力する構成を備えることは、請求人が開示や示唆がないと主張する引用文献３に記載され、さらに引用文献４及び引用文献５にも記載されているように周知技術であり、その適用は当業者が容易になし得るものである。
　したがって、請求人の主張に理由はなく、その主張を採用することができない。
（５）本件補正についてのむすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。
　よって、上記補正の却下の決定の結論のとおり決定する。
第３　本願発明について
１　本願発明 
　本件補正は、上記のとおり却下されたので、本願の請求項１及び２に係る発明は、平成２８年９月１２日にされた手続補正により補正された特許請求の範囲の請求項１及び２に記載された事項により特定されるものであるところ、その請求項１に係る発明（以下「本願発明」という。）は、前記第２［理由］１の（本件補正前）に記載のとおりのものである。
２　原査定の拒絶理由
　原査定の拒絶の理由は、
（進歩性）この出願の請求項１及び２に係る発明は、その出願遡及日前に頒布された以下の引用文献に記載された発明に基づいて、その出願遡及日前にその発明の属する技術の分野における通常の知識を有する者が容易に発明をすることができたものであるから，特許法第２９条第２項の規定により特許を受けることができない、
というものである。
引用文献１：特開２００２−２５３３１６号公報
引用文献２：特開２０１１−２１２４８４号公報
３　引用文献 
　原査定の拒絶の理由で引用された引用文献１の記載事項は、前記第２［理由］２（２）に記載したとおりである。
４　対比・判断 
　本願発明は、前記第２の［理由］２で検討した本願補正発明の発明特定事項である「払出予定情報」に関して、「前記払出予定情報は、計数された払出予定球数が所定数に達する毎に所定の間隔をあけて前記外部接続手段から出力され、前記所定数に達したときには計数された払出予定球数から前記所定数が減算され、減算後の払出予定球数は保持され、その後に発生した賞球数が前記減算後の払出予定球数に加算される」という限定事項を削除したものである。
　なお、本願発明の発明特定事項である「前記外部接続手段に入力される情報には」と、本願補正発明の発明特定事項である「前記外部接続手段から出力される情報には」とは、前記第２の［理由］２で検討したとおり、実質的には発明特定事項に何ら変わりはない。
　そうすると、本願発明の発明特定事項を全て含み、さらに他の事項を付加したものに相当する本願補正発明が、前記第２［理由］２（３）、（４）に記載したとおり、引用発明及び周知技術に基づいて当業者が容易に発明をすることができたものであるから、本願発明も、引用発明及び周知技術に基づいて当業者が容易に発明をすることができたものである。
第４　むすび
　以上のとおり、本願発明は、特許法第２９条第２項の規定により特許を受けることができないから、本願は拒絶されるべきものである。
　よって、結論のとおり審決する。
第５　補足
　請求人は、平成２９年１２月２７日の上申書において、本願補正発明について、引用文献１、引用文献２、引用文献３、及び引用文献４に基づき容易に想到し得るとの前置報告書の認定を受け、各引用文献との相違点になり得る事項を補正する用意があり、審理に際しては、以下の相違点１〜４の考慮を要望する。
（相違点１）
　本願は、「第１制御手段が出力する払出制御情報は賞球数を示す情報であり、払出制御情報を入力した第２制御手段は払出制御情報に示される賞球数を払出予定球数に加算する」構成を備えている。
　上記構成は、明細書の段落［０１０１］、［０１４０］などに記載されている。
　この構成によれば、遊技球の入賞によって発生した賞球数を払出予定球数に加算することができる。
（相違点２）
　本願は、「第１制御手段と第２制御手段のそれぞれで払出予定球数を計数する」構成を備えている。
　上記構成は、明細書の段落［０１９３］などに記載されている。
　この構成によれば、第１制御手段と第２制御手段のそれぞれで払出予定球数を管理することができる。
（相違点３）
　本願は、「第２制御手段は、貸球としての遊技球の払出しを指示する貸球払出制御情報を入力可能であり、貸球払出制御情報を入力した場合には払出制御情報に基づく賞球としての遊技球の払出しよりも優先して貸球としての遊技球を払出すように払出手段に払出動作を行わせる」構成を備えている。
　上記構成は、明細書の段落［０１５７］などに記載されている。
　この構成によれば、賞球の払出し中に貸球の払出しが発生し、貸球の払出しを優先して行わせる場合でも、賞球の払出しが完了する前に賞球予定に関する情報（払出予定情報）という有用な情報を外部装置に出力することができる。
（相違点４）
　本願は、「外部接続手段から出力される情報として、一定数単位の賞球の払出しが完了したことを示す賞球払出情報と、エラーに関するエラー情報とが、あり、エラー情報はエラーの優先順位にしたがって出力されるが、払出予定情報と賞球払出情報は優先順位がなく、それぞれの出力条件を満たすことによって出力される」構成を備えている。
　上記構成は、明細書の段落［００８９］、［００９９］、［０１００］及び図８などに記載されている。
　この構成によれば、払出予定情報と賞球払出情報を同等レベルの情報として位置付け、これらの有用な情報を外部装置に出力することができる。
　しかしながら、請求人の上記主張は、具体的な特許請求の範囲の補正案を提示するものでなく、相違点１〜４に係る構成のうちいずれを本願補正発明に付加するのか、あるいは全てを本願補正発明に付加するのか、当審が検討すべき対象が明らかでない。また、上記相違点１〜４を付加した発明が特許を受けることができるか否かは、新たな先行技術調査を行った上で対比検討を行う必要があり、当審が直ちに判断できるようなものでもない。そして、当審は上記のとおり本願の拒絶の査定を維持できると判断するから、請求人の主張に基づき、更なる通知をして、補正の機会を付与すべき格別の事情はない。